(57)【要約】【課題】高速及び広帯域幅に関して同時に最適化された出力信号を生成する。【解決手段】本発明の信号源装置には、少なくとも１つのＤＡＣ１０、少なくとも１つのコネクタ１８、少なくとも１つのＤＡＣ１０から少なくとも１つのコネクタ１８までの第１出力パス、少なくとも１つのＤＡＣ１０から少なくとも１つのコネクタ１８までの第２出力パスがある。アナログ信号を生成する方法は、少なくとも１つのＤＡＣ１０から少なくとも１つのアナログ信号を生成する処理と、少なくとも１つのＤＡＣ１０から少なくとも１つのコネクタ１８への第１出力パスに沿って少なくとも１つのアナログ信号の第１アナログ信号を伝送する処理と、少なくとも１つのＤＡＣ１０から少なくとも１つのコネクタ１８への第２出力パスに沿って少なくとも１つのアナログ信号の第２アナログ信号を伝送する処理とを有している。【選択図】図１
2020113978.tif 000002
【特許請求の範囲】
【請求項１】
少なくとも１つのデジタル・アナログ・コンバータと、
少なくとも１つのコネクタと、
上記少なくとも１つのデジタル・アナログ・コンバータから上記少なくとも１つのコネクタへの第１出力パスと、
上記少なくとも１つのデジタル・アナログ・コンバータから上記少なくとも１つのコネクタへの第２出力パスと
を具える信号源装置。
【請求項２】
上記第２出力パスに増幅器を更に具える請求項１に記載の信号源装置。
【請求項３】
上記少なくとも１つのデジタル・アナログ・コンバータが、単一のデジタル・アナログ・コンバータから構成され、上記少なくとも１つのコネクタが単一のコネクタから構成され、上記第１出力パス中の第１スイッチと、上記第２出力パス中の第２スイッチを更に具え、上記第１スイッチ及び上記第２スイッチが、上記単一のコネクタに接続される請求項１に記載の信号源装置。
【請求項４】
上記少なくとも１つのデジタル・アナログ・コンバータは、単一のデジタル・アナログ・コンバータから構成され、上記少なくとも１つのコネクタとしては、２つのコネクタがあり、第１コネクタが上記第１出力パスに接続され、第２コネクタが上記第２出力パスに接続される請求項１に記載の信号源装置。
【請求項５】
上記少なくとも１つのデジタル・アナログ・コンバータは、単一の差動デジタル・アナログ・コンバータから構成され、上記少なくとも１つのコネクタとしては、２つのコネクタがあり、上記信号源装置が、第１正出力パスに第１スイッチと、第１負出力パスに第２スイッチと、第２正出力パスに第３スイッチと、第２負出力パスに第４スイッチとを更に具え、上記第１スイッチと上記第３スイッチが第１コネクタに接続され、上記第２スイッチと上記第４スイッチが第２コネクタに接続される請求項１に記載の信号源装置。
【請求項６】
上記少なくとも１つのデジタル・アナログ・コンバータは、単一の差動デジタル・アナログ・コンバータから構成され、上記少なくとも１つのコネクタは、４つのコネクタから構成され、第１正出力パスは第１コネクタに接続され、第１負出力パスは第２コネクタに接続され、第２正出力パスは第３コネクタに接続され、第２負出力パスは第４コネクタに接続される請求項１に記載の信号源装置。
【請求項７】
上記少なくとも１つのデジタル・アナログ・コンバータとしては、２つのデジタル・アナログ・コンバータがあり、第１デジタル・アナログ・コンバータは上記第１出力パスに接続され、第２デジタル・アナログ・コンバータは上記第２出力パスに接続され、上記少なくとも１つのコネクタは、単一のコネクタから構成され、上記信号源装置が、上記第１出力パスに第１スイッチと、上記第２出力パスに第２スイッチとを更に具え、上記第１スイッチ及び上記第２スイッチは上記単一のコネクタに接続される請求項１に記載の信号源装置。
【請求項８】
上記少なくとも１つのデジタル・アナログ・コンバータとしては、２つのデジタル・アナログ・コンバータがあり、第１デジタル・アナログ・コンバータは上記第１出力パスに接続され、第２デジタル・アナログ・コンバータは上記第２出力パスに接続され、上記少なくとも１つのコネクタとしては、２つのコネクタがあり、第１コネクタは上記第１出力パスに接続され、第２コネクタは上記第２出力パスに接続される請求項１に記載の信号源装置。
【請求項９】
上記少なくとも１つのデジタル・アナログ・コンバータとしては、２つの差動デジタル・アナログ・コンバータがあり、第１差動デジタル・アナログ・コンバータは上記第１出力パスに接続され、第２差動デジタル・アナログ・コンバータは上記第２出力パスに接続され、
上記第１出力パスは、第１スイッチを有する第１正出力パスと、第２スイッチを有する第１負出力パスとを含み、上記第２出力パスは、第３スイッチを有する第２正出力パスと、第４スイッチを有する第２負出力パスとを含み、
上記少なくとも１つのコネクタとしては、２つのコネクタがあり、第１コネクタは上記第１及び第３スイッチに接続され、第２コネクタは上記第２及び第４スイッチに接続される
請求項１に記載の信号源装置。
【請求項１０】
上記少なくとも１つのデジタル・アナログ・コンバータとしては、２つの差動デジタル・アナログ・コンバータがあり、第１差動デジタル・アナログ・コンバータは上記第１出力パスに接続され、第２差動デジタル・アナログ・コンバータは上記第２出力パスに接続され、
上記第１出力パスは、第１正出力パス及び第１負出力パスを含み、上記第２出力パスは、第２正出力パス及び第２負出力パスを含み、
上記少なくとも１つのコネクタとしては、４つのコネクタがあり、第１コネクタは上記第１正出力パスに接続され、第２コネクタは上記第１負出力パスに接続され、第３コネクタは上記第２正出力パスに接続され、第４コネクタは上記第２負出力パスに接続される
請求項１に記載の信号源装置。
【請求項１１】
少なくとも１つのデジタル・アナログ・コンバータから少なくとも１つのアナログ信号を生成する処理と、
上記少なくとも１つのデジタル・アナログ・コンバータから少なくとも１つのコネクタへの第１出力パスに沿って上記少なくとも１つのアナログ信号の第１アナログ信号を伝送する処理と、
上記少なくとも１つのデジタル・アナログ・コンバータから上記少なくとも１つのコネクタへの第２出力パスに沿って上記少なくとも１つのアナログ信号の第２アナログ信号を伝送する処理と
を具えるアナログ信号生成方法。
【請求項１２】
上記第２信号が上記少なくとも１つのコネクタに到達する前に上記第２信号を増幅する処理を更に具える請求項１１に記載のアナログ信号生成方法。
【請求項１３】
上記第１アナログ信号を上記少なくとも１つのコネクタに伝送する処理と、上記第２アナログ信号を上記少なくとも１つのコネクタに伝送する処理とが、上記第１アナログ信号を第１デジタル・アナログ・コンバータから単一のコネクタに接続された第１スイッチへ伝送する処理と、上記第２アナログ信号を上記第１デジタル・アナログ・コンバータから上記単一のコネクタに接続された第２スイッチへ伝送する処理とを有する請求項１１に記載のアナログ信号生成方法。
【請求項１４】
上記第１アナログ信号を少なくとも１つのコネクタに伝送する処理は、第１差動デジタル・アナログ・コンバータから、第１正アナログ信号を第１スイッチに、第１負アナログ信号を第２スイッチに伝送する処理を有し、上記第２アナログ信号を少なくとも１つのコネクタに伝送する処理は、上記第１差動デジタル・アナログ・コンバータから、第２正アナログ信号を第３スイッチに、第２負アナログ信号を第４スイッチに伝送する処理を有し、第１コネクタは上記第１及び第３スイッチに接続され、第２コネクタは上記第２及び第４スイッチに接続される請求項１１に記載のアナログ信号生成方法。
【請求項１５】
上記第１アナログ信号を少なくとも１つのコネクタに伝送する処理は、第１差動デジタル・アナログ・コンバータから、第１正アナログ信号を第１コネクタに、第１負アナログ信号を第２コネクタに伝送する処理を有し、上記第２アナログ信号を少なくとも１つのコネクタに伝送する処理は、上記第１差動デジタル・アナログ・コンバータから、第２正アナログ信号を第３コネクタに、第２負アナログ信号を第４コネクタに伝送する処理を有する請求項１１に記載のアナログ信号生成方法。
【請求項１６】
上記第１アナログ信号を少なくとも１つのコネクタに伝送する処理は、第１デジタル・アナログ・コンバータから上記第１アナログ信号を単一のコネクタに接続された第１スイッチへ伝送する処理と、第２デジタル・アナログ・コンバータから上記第２アナログ信号を上記単一のコネクタに接続された第２スイッチへ伝送する処理とを有する請求項１１に記載のアナログ信号生成方法。
【請求項１７】
上記第１アナログ信号を少なくとも１つのコネクタに伝送する処理は、第１デジタル・アナログ・コンバータから上記第１アナログ信号を第１コネクタへ伝送する処理を有し、上記第２アナログ信号を伝送する処理は、第２デジタル・アナログ・コンバータから上記第２アナログ信号を第２コネクタへ伝送する処理を有する請求項１１に記載のアナログ信号生成方法。
【請求項１８】
上記第１アナログ信号を少なくとも１つのコネクタに伝送する処理は、第１差動デジタル・アナログ・コンバータから、第１正アナログ信号を第１コネクタに接続された第１スイッチに伝送する処理と、第１負アナログ信号を第２コネクタに接続された第２スイッチに伝送する処理とを有し、
上記第２アナログ信号を少なくとも１つのコネクタに伝送する処理は、第２差動デジタル・アナログ・コンバータから、第２正アナログ信号を上記第１コネクタに接続された第３スイッチに、第２負アナログ信号を上記第２コネクタに接続された第４スイッチに伝送する処理を有する
請求項１１に記載のアナログ信号生成方法。
【請求項１９】
上記第１アナログ信号を少なくとも１つのコネクタに伝送する処理は、第１差動デジタル・アナログ・コンバータから、第１正アナログ信号を第１コネクタに伝送する処理と、第１負アナログ信号を第２コネクタに伝送する処理とを有し、
上記第２アナログ信号を少なくとも１つのコネクタに伝送する処理は、第２差動デジタル・アナログ・コンバータから、第２正アナログ信号を第３コネクタに、第２負アナログ信号を第４コネクタに伝送する処理を有する
請求項１１に記載のアナログ信号生成方法。
【発明の詳細な説明】
【技術分野】
【０００１】
この発明は、広帯域幅及び広出力振幅レンジを有する高速な出力信号の最適化に関する。
【背景技術】
【０００２】
高速信号を使用するアプリケーションは多数ある。出願人は、任意波形信号を生成するＡＷＧシリーズのような任意波形生成装置を提供している（非特許文献１参照）。信号を生成するための重要なデバイスは、デジタル・アナログ・コンバータ（ＤＡＣ）である。
【先行技術文献】
【特許文献】
【０００３】
【特許文献１】特許第４４２３４５４号公報
【非特許文献】
【０００４】
【非特許文献１】「任意波形ジェネレータ」の紹介サイト、テクトロニクス、［online］、［２０１９年１２月２５日検索］、インターネット<https://jp.tek.com/arbitrary-waveform-generator-0>
【非特許文献２】「デジタル-アナログ変換回路」の記事、Wikipedia（日本語版）、［オンライン］、［２０１９年１２月１３日検索］、インターネット<https://ja.wikipedia.org/wiki/デジタル-アナログ変換回路>
【発明の概要】
【発明が解決しようとする課題】
【０００５】
広帯域幅と広出力振幅レンジの両方に関して１つの高速出力信号を最適化するには、高度なＣＭＯＳ ＩＣ処理ノードで実装される構造に関して、いくつかの問題がある。しかし、信号によっては、非常に広い帯域幅要件があっても、広い振幅レンジは必要としていない。別の場合では、信号によって、もっと狭い帯域幅要件であるが、電圧波形の２点間に広い振幅レンジを必要とするものもある。
【０００６】
開示される装置及び方法の実施形態は、従来技術における欠点に取り組むものである。
【課題を解決するための手段】
【０００７】
信号源装置は、少なくとも１つのデジタル・アナログ・コンバータと、少なくとも１つのコネクタと、少なくとも１つのデジタル・アナログ・コンバータから少なくとも１つのコネクタへの第１出力パスと、少なくとも１つのデジタル・アナログ・コンバータから少なくとも１つのコネクタへの第２出力パスとを具えている。
【０００８】
アナログ信号を生成する方法は、少なくとも１つのデジタル・アナログ・コンバータから少なくとも１つのアナログ信号を生成する処理と、少なくとも１つのデジタル・アナログ・コンバータから少なくとも１つのコネクタへの第１出力パスに沿って、少なくとも１つのアナログ信号の第１アナログ信号を伝送する処理と、少なくとも１つのデジタル・アナログ・コンバータから少なくとも１つのコネクタへの第２出力パスに沿って、少なくとも１つのアナログ信号の第２アナログ信号を伝送する処理とを具えている。
【図面の簡単な説明】
【０００９】
【図１】図１は、１つのコネクタと１つのデジタル・アナログ・コンバータを有する２重（Dual）出力信号パスの実施形態を示す。
【図２】図２は、２つのコネクタと１つのデジタル・アナログ・コンバータを有する２重出力信号パスの実施形態を示す。
【図３】図３は、１つのコネクタと２つのデジタル・アナログ・コンバータを有する２重出力信号パスの実施形態を示す。
【図４】図４は、２つのコネクタと２つのデジタル・アナログ・コンバータを有する２重出力信号パスの実施形態を示す。
【図５】図５は、２つのコネクタと１つのデジタル・アナログ・コンバータを有する２重出力信号パスの実施形態を示す。
【図６】図６は、差動シグナリングを用いる２つのコネクタを有する２重出力信号パスの実施形態を示す。
【図７】図７は、２つのコネクタと２つの差動デジタル・アナログ・コンバータを有する２重出力信号パスの実施形態を示す。
【図８】図８は、４つのコネクタと２つの差動デジタル・アナログ・コンバータを有する２重出力信号パスの実施形態を示す。
【発明を実施するための形態】
【００１０】
本願で説明するように、実施形態は、少なくとも１つのデジタル・アナログ・コンバータからの別々の出力信号パスを提供する。これにより、一方の出力信号パスを高速及び広帯域幅に関して最適化し、他方の出力を高速及び広出力振幅レンジに関して最適化できる。単一の信号パスを両方の特性に関して同時に最適化しようとすると、独立した複数の信号パスを持つ場合と比較して、どっちつかずのシステム性能となってしまう。
【００１１】
別々の信号パスは、高振幅での比較的低いデータ・レートの波形生成をサポートする一方で、使用するのに振幅レンジの広さを必要としない高いデータ・レートの波形生成もサポートする。これらの信号源は、さまざまな用途に対応できる。
【００１２】
本願での実施形態は、少なくとも１つのデジタル・アナログ・コンバータと、少なくとも１つの出力コネクタとを含む。図１は、単一のデジタル・アナログ・コンバータ１０と１つの出力コネクタ１８がある実施形態を示す。出力コネクタ１８は、両方の信号パスについての単一で共通の出力コネクタを与える。広帯域幅パスが望ましいとき、スイッチ１２がデジタル・アナログ・コンバータ１０を出力コネクタ１８に接続する。拡大した振幅レンジ・パスが望ましい場合、スイッチ１６がデジタル・アナログ・コンバータ１０を出力コネクタ１８に接続する。このパスには、この信号パスの振幅レンジを拡大する増幅段（amplifier stage）１４があっても良い。
【００１３】
図２は、単一のデジタル・アナログ・コンバータ２０と２つの出力コネクタ２８及び２６がある実施形態を示す。各出力コネクタは、複数の信号パスの中の１つに接続される。ユーザが広帯域幅の出力信号を希望する場合、ユーザは、出力コネクタ２８に接続しても良い。ユーザが振幅レンジを拡大した信号を希望する場合、ユーザは、出力コネクタ２６に接続しても良い。このパスには、この信号パスの振幅レンジを拡大する増幅段２４があっても良い。
【００１４】
図１及び２の実施形態では、信号パス及び出力コネクタは、図示するように、シングルエンドでも良いし、又は、差動シグナリング（信号伝送）でも良い。図１及び２のデジタル・アナログ・コンバータは、利用するシグナリングに関係なく、２つの出力端子を駆動して２つの信号パスを駆動する。デジタル・アナログ・コンバータが両方の信号パスを駆動することにより、１つのデジタル・アナログ・コンバータ出力信号を２つの信号パスにパッシブに分割することによる損失を回避できる。加えて、パッシブ・スプリッタは、帯域幅やその他のパフォーマンス特性を更に低下させるが、これは、特に広帯域幅信号パスには望ましくない。
【００１５】
図３及び４では、少なくとも１つのデジタル・アナログ・コンバータとしては、パスごとに１つずつ、２つのデジタル・アナログ・コンバーターが含まれる。図３において、実施形態は、２つのデジタル・アナログ・コンバータ３０、３２と、１つの出力コネクタ４０を有する。広帯域幅パスが望ましいときには、スイッチ３４がデジタル・アナログ・コンバータ３０を出力コネクタ４０に接続する。拡大振幅レンンジ・パスが望ましい場合には、スイッチ３８がデジタル・アナログ・コンバータ３２を出力コネクタ４０に接続する。このパスには、この信号パスの振幅レンジを拡大する増幅段３６があっても良い。
【００１６】
図４では、少なくとも１つのデジタル・アナログ・コンバータとしては、２つのデジタル・アナログ・コンバータ５０、５２が含まれ、また、少なくとも１つの出力コネクタとしては、２つの出力コネクタ５６、５８が含まれる。ユーザが広帯域幅出力信号を望む場合には、ユーザは、デジタル・アナログ・コンバータ５０に接続されたコネクタ５６に接続できる。ユーザが拡大振幅レンジ信号パスを望む場合には、ユーザは、デジタル・アナログ・コンバータ５２に接続されたコネクタ５８に接続できる。デジタル・アナログ・コンバータ５２とコネクタ５８との間の拡大振幅レンジのパスには、増幅段５４があってもよい。
【００１７】
単一のデジタル・アナログ・コンバータと、２つのデジタル・アナログ・コンバータを有しているものとの間の選択における検討事項としては、コスト及び電力の効率がある。２つの出力パスを駆動するのに１つのデジタル・アナログ・コンバータを使用するのは、２つのデジタル・アナログ・コンバータを使用する場合よりも、コスト及び電力の効率が良いことがあるが、これは、２つの出力端子のデジタル・アナログ・コンバータは、回路の大部分を共有し、１つの信号パスのかなり下流で信号を分割できるためである。このデジタルからアナログへの回路における分割の位置は、システムのその他の性能の観点から最適化するのはもちろんのこと、特に、出力帯域幅への影響を最小限に抑えるように最適化できる。
【００１８】
実施形態では、一方の信号パスは広帯域幅に最適化され、信号パスにコンポーネントを追加すると帯域幅が低下する可能性があるため、コンポーネントの数は最小限である。他方の信号パスは、拡大振幅レンジに最適化されている。これは、上述の増幅器の追加を伴うことがある。これにより、サポートする出力振幅レンジを拡大できることがあるが、帯域幅が低下する可能性もある。
【００１９】
２つの出力コネクタに比較して１つの出力コネクタ（シングルエンド・シグナリング用−追加のコネクタは、差動シグナリングにも使用できる）を有するという選択にも、いくつかの検討事項がある。２つの信号パスに共通の出力コネクタを持つことは、シングルエンド・シグナリング又は差動シグナリングのどちらであっても、（１）比較的低いデータ・レート／広振幅レンジの波形と（２）高いデータ・レート／狭振幅レンジの波形との間でダイナミックに切り替えるアプリケーションに関して利点があるであろう。この場合、ユーザーは、出力コネクタを切り替える必要がない。しかし、スイッチは、信号パスの帯域幅に何らかの影響を与える可能性がある。
【００２０】
２つの信号パスに２つのコネクタを使用すると、同じ計測器を異なる用途（比較的低いデータ・レートで比較的広い振幅レンジの波形か、又は比較的狭い振幅レンジで高データ・レートの波形か、など）で共有するアプリケーションには利点がある。信号パスのデータ・レート／帯域幅が小さいほど、高データ・レートの信号パスに比較して、計測器に接続するための外部のケーブル配線の要件の面で、よりコスト効率の良い出力コネクタを使用できる。
【００２１】
上述のように、デジタル・アナログ・コンバータは、シングルエンド・シグナリング又は差動シグナリング（信号伝送）に使用することができる。図５及び６は、１つの差動デジタル・アナログ・コンバータと、２つのコネクタ又は４つのコネクタのどちらかを有する信号源の実施形態を示す。図５では、例えば、単一の差動アナログ・デジタル・コンバータ６０は、２つのアナログ信号を生成し、それぞれは、差分シグナリング用の正と負の成分を有する。第１の正のアナログ信号はスイッチ６２に接続され、第１の負のアナログ信号はスイッチ６４に接続される。第２の正のアナログ信号は、増幅段６６に接続され、次いでスイッチ６８に接続される。第２の負のアナログ信号は、増幅段６６に接続され、次いでスイッチ７０に接続される。正のアナログ信号のそれぞれは、それらのスイッチ６２と６８によって第１コネクタ７２に接続され、負のアナログ信号のそれぞれは、それらのスイッチ６４と７０によって第２コネクタ７４に接続される。
【００２２】
図６には、差動デジタル・アナログ・コンバータ８０によって生成される各信号の各極性につき１つで、４つのコネクタがある。第１の正のアナログ信号はコネクタ８２に接続され、第１の負の出力信号はコネクタ８４に接続される。同様に、第２の正のアナログ信号は、増幅器８６を介してコネクタ８８に接続され、第２の負のアナログ信号は、増幅器８６を介してコネクタ９０に接続される。
【００２３】
図７及び８は、本願で差動デジタル・アナログ・コンバータと呼ぶ、２つのデジタル・アナログ・コンバータを有し、差動出力信号を生成する信号源装置の実施形態を示す。実施形態に応じて、装置は２つ又は４つのコネクタを有し得る。
【００２４】
図７では、例えば、デジタル・アナログ・コンバータ１００は、第１の正のアナログ信号をスイッチ１０２に、そして、第１の負のアナログ信号をスイッチ１０４に伝送する。第１出力パスは、第１の正の出力パスと第１の負の出力パスから構成される。同様に、デジタル・アナログ・コンバータ１１０は、第２の正のアナログ信号をスイッチ１１４に、そして、第２の負のアナログ信号をスイッチ１１６に伝送する。第２出力パスは、第２の正の出力パスと第２の負の出力パスから構成される。第２の正のアナログ信号と第２の負のアナログ信号は、差動増幅器１１２によって増幅されても良い。これら正のアナログ信号は、それぞれのスイッチによってコネクタ１０６に接続され、また、これら負のアナログ信号は、それぞれのスイッチによってコネクタ１１８に接続される。
【００２５】
図８では、差動デジタル・アナログ・コンバータそれぞれの各出力が、別々のコネクタに接続されている。差動デジタル・アナログ・コンバータ１２０は、第１の正のアナログ信号をコネクタ１２２に伝送し、第１の負のアナログ信号をコネクタ１２４に伝送する。同様に、差動デジタル・アナログ・コンバータ１３０は、第２の正のアナログ信号をコネクタ１３４に伝送し、第２の負のアナログ信号をコネクタ１３６に伝送する。これらの信号は、増幅器１３２によって増幅されても良い。これらの例は、差動シグナリング（差動信号伝送）の実施形態を提供し、いかなる特定の実装に限定されることを意図したものではない。
【００２６】
このようにして、１つ又は複数のデジタル・アナログ・コンバータから、２つの異なる出力信号を供給でき、それぞれは、広帯域幅又は拡大されたレンジの振幅レンジのどちらかに最適化されている。
【００２７】
実施例
以下では、開示技術の理解に有益な実施例が提示される。この技術の実施形態は、以下で記述する実施例の１つ以上及び任意の組み合わせを含んでいても良い。
【００２８】
実施例１は、信号源装置であって、少なくとも１つのデジタル・アナログ・コンバータと、少なくとも１つのコネクタと、上記少なくとも１つのデジタル・アナログ・コンバータから上記少なくとも１つのコネクタへの第１出力パスと、上記少なくとも１つのデジタル・アナログ・コンバータから上記少なくとも１つのコネクタへの第２出力パスとを具えている。
【００２９】
実施例２は、請求項１の信号源装置であって、上記第２出力パスに増幅器を更に具える。
【００３０】
実施例３は、実施例１及び２のいずれかの信号源装置であって、上記少なくとも１つのデジタル・アナログ・コンバータは、単一のデジタル・アナログ・コンバータから構成され、上記少なくとも１つのコネクタが単一のコネクタから構成され、上記第１出力パス中の第１スイッチと、上記第２出力パス中の第２スイッチを更に具え、上記第１スイッチ及び上記第２スイッチが、上記単一のコネクタに接続される。
【００３１】
実施例４は、実施例１〜３のいずれかの信号源装置であって、上記少なくとも１つのデジタル・アナログ・コンバータは、単一のデジタル・アナログ・コンバータから構成され、上記少なくとも１つのコネクタとしては、２つのコネクタがあり、第１コネクタが上記第１出力パスに接続され、第２コネクタが上記第２出力パスに接続される。
【００３２】
実施例５は、実施例１〜４のいずれかの信号源装置であって、上記少なくとも１つのデジタル・アナログ・コンバータは、単一の差動デジタル・アナログ・コンバータから構成され、上記少なくとも１つのコネクタとしては、２つのコネクタがあり、上記装置が、第１正出力パスに第１スイッチと、第１負出力パスに第２スイッチと、第２正出力パスに第３スイッチと、第２負出力パスに第４スイッチとを更に具え、上記第１スイッチと上記第３スイッチが第１コネクタに接続され、上記第２スイッチと上記第４スイッチが第２コネクタに接続されている。
【００３３】
実施例６は、実施例１〜５のいずれかの信号源装置であって、上記少なくとも１つのデジタル・アナログ・コンバータは、単一の差動デジタル・アナログ・コンバータから構成され、上記少なくとも１つのコネクタは、４つのコネクタから構成され、第１正出力パスは第１コネクタに接続され、第１負出力パスは第２コネクタに接続され、第２正出力パスは第３コネクタに接続され、第２負出力パスは第４コネクタに接続される。
【００３４】
実施例７は、実施例１〜６のいずれかの信号源装置であって、上記少なくとも１つのデジタル・アナログ・コンバータとしては、２つのデジタル・アナログ・コンバータがあり、第１デジタル・アナログ・コンバータは上記第１出力パスに接続され、第２デジタル・アナログ・コンバータは上記第２出力パスに接続され、上記少なくとも１つのコネクタは、単一のコネクタから構成され、上記装置が、上記第１出力パスに第１スイッチと、上記第２出力パスに第２スイッチとを更に具え、上記第１スイッチ及び上記第２スイッチは上記単一のコネクタに接続される。
【００３５】
実施例８は、実施例１〜７のいずれかの信号源装置であって、上記少なくとも１つのデジタル・アナログ・コンバータとしては、２つのデジタル・アナログ・コンバータがあり、第１デジタル・アナログ・コンバータは上記第１出力パスに接続され、第２デジタル・アナログ・コンバータは上記第２出力パスに接続され、上記少なくとも１つのコネクタとしては、２つのコネクタがあり、第１コネクタは上記第１出力パスに接続され、第２コネクタは上記第２出力パスに接続される。
【００３６】
実施例９は、実施例１〜８のいずれかの信号源装置であって、上記少なくとも１つのデジタル・アナログ・コンバータとしては、２つの差動デジタル・アナログ・コンバータがあり、第１差動デジタル・アナログ・コンバータは上記第１出力パスに接続され、第２差動デジタル・アナログ・コンバータは上記第２出力パスに接続され、上記第１出力パスは、第１スイッチを有する第１正出力パスと、第２スイッチを有する第１負出力パスとを含み、上記第２出力パスは、第３スイッチを有する第２正出力パスと、第４スイッチを有する第２負出力パスとを含み、上記少なくとも１つのコネクタとしては、２つのコネクタがあり、第１コネクタは上記第１及び第３スイッチに接続され、第２コネクタは上記第２及び第４スイッチに接続される。
【００３７】
実施例１０は、実施例１〜９のいずれかの信号源装置であって、上記少なくとも１つのデジタル・アナログ・コンバータとしては、２つの差動デジタル・アナログ・コンバータがあり、第１差動デジタル・アナログ・コンバータは上記第１出力パスに接続され、第２差動デジタル・アナログ・コンバータは上記第２出力パスに接続され、上記第１出力パスは、第１正出力パス及び第１負出力パスを含み、上記第２出力パスは、第２正出力パス及び第２負出力パスを含み、上記少なくとも１つのコネクタとしては、４つのコネクタがあり、第１コネクタは上記第１正出力パスに接続され、第２コネクタは上記第１負出力パスに接続され、第３コネクタは上記第２正出力パスに接続され、第４コネクタは上記第２負出力パスに接続される。
【００３８】
実施例１１は、アナログ信号を生成する方法であって、少なくとも１つのデジタル・アナログ・コンバータから少なくとも１つのアナログ信号を生成する処理と、上記少なくとも１つのデジタル・アナログ・コンバータから少なくとも１つのコネクタへの第１出力パスに沿って上記少なくとも１つのアナログ信号の第１アナログ信号を伝送する処理と、上記少なくとも１つのデジタル・アナログ・コンバータから上記少なくとも１つのコネクタへの第２出力パスに沿って上記少なくとも１つのアナログ信号の第２アナログ信号を伝送する処理とを具えている。
【００３９】
実施例１２は、実施例１１の方法であって、上記第２信号が上記少なくとも１つのコネクタに到達する前に上記第２信号を増幅する処理を更に具えている。
【００４０】
実施例１３は、実施例１１及び１２のいずれかの方法であって、上記第１アナログ信号を上記少なくとも１つのコネクタに伝送する処理と、上記第２アナログ信号を上記少なくとも１つのコネクタに伝送する処理とが、上記第１アナログ信号を第１デジタル・アナログ・コンバータから単一のコネクタに接続された第１スイッチへ伝送する処理と、上記第２アナログ信号を上記第１デジタル・アナログ・コンバータから上記単一のコネクタに接続された第２スイッチへ伝送する処理とを有している。
【００４１】
実施例１４は、実施例１１〜１３のいずれかの方法であって、上記第１アナログ信号を上記少なくとも１つのコネクタに伝送する処理と、上記第２アナログ信号を上記少なくとも１つのコネクタに伝送する処理とが、上記第１アナログ信号を第１デジタル・アナログ・コンバータから第１コネクタへ伝送する処理と、上記第２アナログ信号を上記第１デジタル・アナログ・コンバータから第２コネクタへ伝送する処理とを有している。
【００４２】
実施例１５は、実施例１１〜１４のいずれかの方法であって、上記第１アナログ信号を少なくとも１つのコネクタに伝送する処理は、第１差動デジタル・アナログ・コンバータから、第１正アナログ信号を第１スイッチに、第１負アナログ信号を第２スイッチに伝送する処理を有し、上記第２アナログ信号を少なくとも１つのコネクタに伝送する処理は、上記第１差動デジタル・アナログ・コンバータから、第２正アナログ信号を第３スイッチに、第２負アナログ信号を第４スイッチに伝送する処理を有し、第１コネクタは上記第１及び第３スイッチに接続され、第２コネクタは上記第２及び第４スイッチに接続される。
【００４３】
実施例１６は、実施例１１〜１５のいずれかの方法であって、上記第１アナログ信号を少なくとも１つのコネクタに伝送する処理は、第１差動デジタル・アナログ・コンバータから、第１正アナログ信号を第１コネクタに、第１負アナログ信号を第２コネクタに伝送する処理を有し、上記第２アナログ信号を少なくとも１つのコネクタに伝送する処理は、上記第１差動デジタル・アナログ・コンバータから、第２正アナログ信号を第３コネクタに、第２負アナログ信号を第４コネクタに伝送する処理を有する。
【００４４】
実施例１７は、実施例１１〜１６のいずれかの方法であって、上記第１アナログ信号を少なくとも１つのコネクタに伝送する処理は、第１デジタル・アナログ・コンバータから上記第１アナログ信号を単一のコネクタに接続された第１スイッチへ伝送する処理と、第２デジタル・アナログ・コンバータから上記第２アナログ信号を上記単一のコネクタに接続された第２スイッチへ伝送する処理とを有している。
【００４５】
実施例１８は、実施例１１〜１７のいずれかの方法であって、上記第１アナログ信号を少なくとも１つのコネクタに伝送する処理は、第１デジタル・アナログ・コンバータから上記第１アナログ信号を第１コネクタに伝送する処理を有し、上記第２アナログ信号を伝送する処理は、第２デジタル・アナログ・コンバータから上記第２アナログ信号を第２コネクタに伝送する処理を有する。
【００４６】
実施例１９は、実施例１１〜１８のいずれかの方法であって、上記第１アナログ信号を少なくとも１つのコネクタに伝送する処理は、第１差動デジタル・アナログ・コンバータから、第１正アナログ信号を第１コネクタに接続された第１スイッチに伝送する処理と、第１負アナログ信号を第２コネクタに接続された第２スイッチに伝送する処理とを有し、上記第２アナログ信号を少なくとも１つのコネクタに伝送する処理は、第２差動デジタル・アナログ・コンバータから、第２正アナログ信号を上記第１コネクタに接続された第３スイッチに、第２負アナログ信号を上記第２コネクタに接続された第４スイッチに伝送する処理を有している。
【００４７】
実施例２０は、実施例１１〜１９のいずれか１つの方法であって、上記第１アナログ信号を少なくとも１つのコネクタに伝送する処理は、第１差動デジタル・アナログ・コンバータから、第１正アナログ信号を第１コネクタに伝送する処理と、第１負アナログ信号を第２コネクタに伝送する処理とを有し、上記第２アナログ信号を少なくとも１つのコネクタに伝送する処理は、第２差動デジタル・アナログ・コンバータから、第２正アナログ信号を第３コネクタに、第２負アナログ信号を第４コネクタに伝送する処理を有する。
【００４８】
開示された主題の上述のバージョンは、記述したか又は当業者には明らかであろう多くの効果を有する。それでも、開示された装置、システム又は方法のすべてのバージョンにおいて、これらの効果又は特徴のすべてが要求されるわけではない。
【００４９】
加えて、本願の記述は、特定の特徴に言及している。本明細書における開示には、これらの特定の特徴の全ての可能な組み合わせが含まれると理解すべきである。ある特定の特徴が特定の態様又は実施例の状況において開示される場合、その特徴は、可能である限り、他の態様及び実施例の状況においても利用できる。
【００５０】
また、本願において、２つ以上の定義されたステップ又は工程を有する方法に言及する場合、これら定義されたステップ又は工程は、状況的にそれらの可能性を排除しない限り、任意の順序で又は同時に実行しても良い。
【００５１】
更に、用語「を具える（comprises）」及びその文法的に等価なものは、本願において、他のコンポーネント（components）、機能（features）、ステップ、処理（processes）、工程（operations）がオプションで存在することを示すのに使用される。例えば、コンポーネントＡ、Ｂ及びＣ「を具える（comprising）」又は「何かが」コンポーネントＡ、Ｂ及びＣ「を具える（which comprises）」という条件は、コンポーネントＡ、Ｂ及びＣだけを含んでも良いし、又は、コンポーネントＡ、Ｂ及びＣと共に１つ以上の他のコンポーネントを含んでいても良い。
【００５２】
説明の都合上、本発明の具体的な実施例を図示し、説明してきたが、本発明の要旨と範囲から離れることなく、種々の変更が可能なことが理解できよう。従って、本発明は、添付の特許請求の範囲を除いて限定されるべきではない。
【符号の説明】
【００５３】
１０  デジタル・アナログ・コンバータ
１２  スイッチ
１４  増幅段
１６  スイッチ
１８  出力コネクタ
２０  デジタル・アナログ・コンバータ
２４  増幅段
２６  出力コネクタ
２８  出力コネクタ
３０  デジタル・アナログ・コンバータ
３２  デジタル・アナログ・コンバータ
３４  スイッチ
３６  増幅段
３８  スイッチ
４０  出力コネクタ
５０  デジタル・アナログ・コンバータ
５２  デジタル・アナログ・コンバータ
５４  増幅段
５６  出力コネクタ
５８  出力コネクタ
６０  デジタル・アナログ・コンバータ
６２  スイッチ
６４  スイッチ
６６  増幅段
６８  スイッチ
７０  スイッチ
７２  出力コネクタ
７４  出力コネクタ
８０  デジタル・アナログ・コンバータ
８２  出力コネクタ
８４  出力コネクタ
８６  増幅段
８８  出力コネクタ
９０  出力コネクタ
１００  デジタル・アナログ・コンバータ
１０２  スイッチ
１０４  スイッチ
１０６  出力コネクタ
１１０  デジタル・アナログ・コンバータ
１１２  増幅段
１１４  スイッチ
１１６  スイッチ
１１８  出力コネクタ
１２０  デジタル・アナログ・コンバータ
１２２  出力コネクタ
１２４  出力コネクタ
１３０  出力コネクタ
１３２  増幅段
１３４  出力コネクタ
１３６  出力コネクタ
【図１】
2020113978.tif 000003
【図２】
2020113978.tif 000004
【図３】
2020113978.tif 000005
【図４】
2020113978.tif 000006
【図５】
2020113978.tif 000007
【図６】
2020113978.tif 000008
【図７】
2020113978.tif 000009
【図８】
2020113978.tif 000010
【外国語明細書】
2020113978000001.pdf